(57)【要約】【課題】携帯機器に記憶されたコンテンツデータを車内で再生するためのコンテンツデータ再生装置において、コンテンツデータを選択して再生させる際の利便性を向上させる。【解決手段】コンテンツデータ再生装置は、データ選択部３ａと、ディスプレイ１３と、再生ユニット３１とを備えている。データ選択部３ａは、車両の乗員が携帯する携帯機器２５に記憶されたコンテンツデータを受信したときに、該コンテンツデータのうち新しいコンテンツデータを優先的に選択する。ディスプレイ１３は、データ選択部３ａにより選択されたコンテンツデータのコンテンツ名を乗員に表示する。再生ユニット３１は、ディスプレイ１３により表示されたコンテンツ名に対応するコンテンツデータを再生可能になっている。【選択図】図１
2009234358.tif 000002
【特許請求の範囲】
【請求項１】
車両の乗員が携帯する携帯機器に記憶されたコンテンツデータを受信したときに、該コンテンツデータのうち新しいコンテンツデータを優先的に選択するデータ選択手段と、
上記データ選択手段により選択されたコンテンツデータのコンテンツ名を上記乗員に伝達する伝達手段と、
上記伝達手段により伝達されたコンテンツ名に対応するコンテンツデータを再生可能な再生手段とを備えていることを特徴とする車両のコンテンツデータ再生装置。
【請求項２】
請求項１記載の車両のコンテンツデータ再生装置において、
上記伝達手段は、上記コンテンツ名を表示する表示手段であることを特徴とする車両のコンテンツデータ再生装置。
【請求項３】
請求項１又は２記載の車両のコンテンツデータ再生装置において、
上記データ選択手段は、上記コンテンツデータを受信したときには、該コンテンツデータのうち上記再生手段により過去に再生されたコンテンツデータを除外し、残りのコンテンツデータのうち新しいコンテンツデータを優先的に選択するように構成されていることを特徴とする車両のコンテンツデータ再生装置。
【請求項４】
請求項１〜３のいずれか１つに記載の車両のコンテンツデータ再生装置において、
上記データ選択手段は、同種のコンテンツデータを複数受信したときには、該同種のコンテンツデータのうち最新のコンテンツデータを選択するように構成されていることを特徴とする車両のコンテンツデータ再生装置。
【請求項５】
請求項１〜４のいずれか１つに記載の車両のコンテンツデータ再生装置において、
上記データ選択手段により選択されたコンテンツデータが画像データを含んでいるか否かを判別するデータ判別手段と、
上記車両が走行状態であるか停止状態であるかを判定する走行状態判定手段とをさらに備えており、
上記再生手段は、上記データ判別手段により上記選択されたコンテンツデータが画像データを含んでいると判別された場合には、上記走行状態判定手段により上記車両が停止状態であると判定されたときにのみ、該画像データを再生可能に構成されていることを特徴とする車両のコンテンツデータ再生装置。
【請求項６】
請求項１〜５のいずれか１つに記載の車両のコンテンツデータ再生装置において、
上記コンテンツデータには少なくとも音声データが含まれており、
上記選択されたコンテンツデータが画像データを含んでいるか否かを判別するデータ判別手段と、
上記車両が走行状態であるか停止状態であるかを判定する走行状態判定手段とをさらに備えており、
上記再生手段は、上記データ判別手段により上記選択されたコンテンツデータが画像データを含んでいると判別された場合であって、上記走行状態判定手段により上記車両が走行状態であると判定されたときには、該コンテンツデータのうち音声データのみを再生可能に構成されていることを特徴とする車両のコンテンツデータ再生装置。
【請求項７】
車両の乗員が携帯し、コンテンツデータを記憶可能な携帯機器と、
上記車両に設けられ、上記携帯機器に記憶されたコンテンツデータを受信したときに、該コンテンツデータのうち新しいコンテンツデータを優先的に選択するデータ選択手段と、
上記車両に設けられ、上記データ選択手段により選択されたコンテンツデータのコンテンツ名を上記乗員に伝達する伝達手段と、
上記車両に設けられ、上記伝達手段により伝達されたコンテンツ名に対応するコンテンツデータを再生可能な再生手段とを備えていることを特徴とするコンテンツデータ再生システム。
【発明の詳細な説明】
【技術分野】
【０００１】
本発明は、車両の乗員が携帯する携帯機器に記憶されたコンテンツデータを再生するための車両のコンテンツデータ再生装置及びコンテンツデータ再生システムに関するものである。
【背景技術】
【０００２】
近年、コンテンツデータを記憶可能な携帯機器と車両に搭載されたマイクロコンピュータ（マイコン）とを接続し、車両に搭載されたスピーカやディスプレイを用いて該コンテンツデータを再生するようにした再生装置が知られている。
【０００３】
例えば、特許文献１では、コンテンツデータを再生可能なリモコンが車外にあるときは携帯機器からコンテンツデータを該リモコンに出力する一方、該リモコンが車内にあるときは携帯機器からのコンテンツデータの出力先を車載装置に素早く切り替える再生装置が開示されている。
【特許文献１】特開２００６−１７３８９３号公報
【発明の開示】
【発明が解決しようとする課題】
【０００４】
上述のような再生装置では、携帯機器に記憶されたコンテンツデータの内容を示すコンテンツ名を、例えば、インストルメントパネルに設けられたディスプレイに表示することにより、乗員が視聴したいコンテンツデータを選択できるようになっているが、ディスプレイの大きさはインストルメントパネルに設けられた他の機器との関係で制約を受けることから、ディスプレイに一度に表示できるコンテンツ名の数は限られている。
【０００５】
ところで、乗員がコンテンツデータを選択する際には、日付の新しいコンテンツデータや新たにダウンロードされたコンテンツデータほど選択される可能性が高いが、上述のようにディスプレイに一度に表示できるコンテンツ名の数は限られていることから、ディスプレイに表示されるコンテンツ名がランダムに並んでいると、乗員がスイッチ操作によりディスプレイの画面をスクロールさせて新しい（選択したい）データを検索したりする必要があり、利便性が悪いという問題がある。
【０００６】
また、音声によりコンテンツ名を乗員に伝達し、視聴したいコンテンツ名が読み上げられたときにボタン操作を行うことにより、コンテンツデータを選択できるようにすることも考えられるが、この場合にも、コンテンツ名がランダムに読み上げられると、乗員は視聴したいコンテンツ名が読み上げられるまで待たねばならず、利便性が悪くなる。
【０００７】
本発明は、かかる点に鑑みてなされたものであり、その目的とするところは、携帯機器に記憶されたコンテンツデータを車内で再生するためのコンテンツデータ再生装置において、乗員がコンテンツデータを選択して再生させる際の利便性を向上させる技術を提供することにある。
【課題を解決するための手段】
【０００８】
第１の発明は、車両の乗員が携帯する携帯機器に記憶されたコンテンツデータを受信したときに、該コンテンツデータのうち新しいコンテンツデータを優先的に選択するデータ選択手段と、上記データ選択手段により選択されたコンテンツデータのコンテンツ名を上記乗員に伝達する伝達手段と、上記伝達手段により伝達されたコンテンツ名に対応するコンテンツデータを再生可能な再生手段とを備えていることを特徴とする車両のコンテンツデータ再生装置である。
【０００９】
なお、「新しいコンテンツデータ」とは、例えば、ニュースのように日時（日付、時刻）を含むコンテンツデータについては日時が新しいものを意味し、映画や音楽のように日時を含まないコンテンツデータについてはダウンロードされた日時が新しいものを意味する。
【００１０】
また、「コンテンツ名」とは、乗員等がコンテンツデータを識別するために個々のコンテンツデータに付けられた名前を意味する。
【００１１】
第１の発明によれば、車両の乗員が携帯する携帯機器に記憶されたコンテンツデータを車両に設けられている再生手段で再生する際に、該コンテンツデータのうち新しいコンテンツデータを優先的に選択し、選択されたコンテンツデータのコンテンツ名を乗員に伝達することから、乗員により選択される可能性の高い新しいコンテンツデータのコンテンツ名を乗員に対して伝達することができる。したがって、乗員がコンテンツデータを選択して再生させる際の利便性を向上させることができる。
【００１２】
第２の発明は、上記第１の発明において、上記伝達手段は、上記コンテンツ名を表示する表示手段であることを特徴とするものである。
【００１３】
このように、コンテンツ名を表示することにより、乗員がコンテンツ名を確認し易くなるので、乗員がコンテンツデータを選択して再生させる際の利便性をさらに向上させることができる。
【００１４】
第３の発明は、上記第１又は２の発明において、上記データ選択手段は、上記コンテンツデータを受信したときには、該コンテンツデータのうち上記再生手段により過去に再生されたコンテンツデータを除外し、残りのコンテンツデータのうち新しいコンテンツデータを優先的に選択するように構成されていることを特徴とするものである。
【００１５】
このように、携帯機器から受信したコンテンツデータのうち再生手段により過去に再生されたコンテンツデータを除外するので、乗員が誤って同じコンテンツデータを複数回選択するのを抑制することができる。したがって、乗員がコンテンツデータを選択して再生させる際の利便性を一層向上させることができる。
【００１６】
第４の発明は、上記第１〜３のいずれか１つの発明において、上記データ選択手段は、同種のコンテンツデータを複数受信したときには、該同種のコンテンツデータのうち最新のコンテンツデータを選択するように構成されていることを特徴とするものである。
【００１７】
なお、「同種のコンテンツデータ」とは、単に互いに同じジャンルのコンテンツデータ、または、例えば、ＸＸＸ放送のニュースというように、互いに配信元又は作成元及びジャンルが同じコンテンツデータを意味する。
【００１８】
第４の発明によれば、同種のコンテンツデータのうち選択される可能性が最も高い最新のコンテンツデータのコンテンツ名を乗員に対して伝達でき、特に伝達手段として表示手段を用いる場合には、ディスプレイに一度に表示できるコンテンツ名の数が限られていても、種類の異なるコンテンツデータのコンテンツ名を一度に表示することができる。したがって、乗員がコンテンツデータを選択して再生させる際の利便性をより一層向上させることができる。
【００１９】
第５の発明は、上記第１〜４のいずれか１つの発明において、上記データ選択手段により選択されたコンテンツデータが画像データを含んでいるか否かを判別するデータ判別手段と、上記車両が走行状態であるか停止状態であるかを判定する走行状態判定手段とをさらに備えており、上記再生手段は、上記データ判別手段により上記選択されたコンテンツデータが画像データを含んでいると判別された場合には、上記走行状態判定手段により上記車両が停止状態であると判定されたときにのみ、該画像データを再生可能に構成されていることを特徴とするものである。
【００２０】
このように、再生手段は、データ判別手段によりコンテンツデータが画像データを含んでいると判別された場合には、車両が停止状態であると判定されたときにのみ、画像データを再生可能に構成されているので、乗員の脇見運転を抑制することができる。したがって、乗員が車内でコンテンツデータを再生させる際の安全性を向上させることができる。
【００２１】
第６の発明は、上記第１〜５のいずれか１つの発明において、上記コンテンツデータには少なくとも音声データが含まれており、上記選択されたコンテンツデータが画像データを含んでいるか否かを判別するデータ判別手段と、上記車両が走行状態であるか停止状態であるかを判定する走行状態判定手段とをさらに備えており、上記再生手段は、上記データ判別手段により上記選択されたコンテンツデータが画像データを含んでいると判別された場合であって、上記走行状態判定手段により上記車両が走行状態であると判定されたときには、該コンテンツデータのうち音声データのみを再生可能に構成されていることを特徴とするものである。
【００２２】
このように、再生手段は、少なくとも音声データが含まれているコンテンツデータがデータ判別手段により画像データを含んでいると判別された場合であって、車両が走行状態であると判定されたときには、該コンテンツデータのうち音声データのみを再生可能に構成されているので、乗員の脇見運転を抑制することができる。したがって、乗員が車両走行中にコンテンツデータを再生させる際の安全性を向上させることができる。
【００２３】
第７の発明は、車両の乗員が携帯し、コンテンツデータを記憶可能な携帯機器と、上記車両に設けられ、上記携帯機器に記憶されたコンテンツデータを受信したときに、該コンテンツデータのうち新しいコンテンツデータを優先的に選択するデータ選択手段と、上記車両に設けられ、上記データ選択手段により選択されたコンテンツデータのコンテンツ名を上記乗員に伝達する伝達手段と、上記車両に設けられ、上記伝達手段により伝達されたコンテンツ名に対応するコンテンツデータを再生可能な再生手段とを備えていることを特徴とするコンテンツデータ再生システムである。
【００２４】
第７の発明によれば、第１の発明と同様の作用効果が得られる。
【発明の効果】
【００２５】
本発明によれば、携帯機器に記憶されたコンテンツデータを車載の再生手段で再生する際に、該コンテンツデータのうち新しいコンテンツデータを優先的に選択してそのコンテンツ名を乗員に伝達することから、選択される可能性の高い新しいコンテンツデータのコンテンツ名が乗員に対して伝達されるので、乗員がコンテンツデータを選択して再生させる際の利便性を向上させることができる。
【発明を実施するための最良の形態】
【００２６】
以下、本発明の実施形態を図面に基づいて詳細に説明する。
【００２７】
（実施形態１）
図１に示すように、本実施形態に係るコンテンツデータ再生システムは、車両の乗員が携帯する携帯機器２５と、マイクロコンピュータ（以下、マイコンという）３とオーディオ５とビデオ７とディスプレイ１３とを有する車載のオーディオビジュアル機器１と、携帯機器２５とオーディオビジュアル機器１とを有線接続するためのケーブル２３と、車速センサ１９と、選択スイッチ２１とを備えている。そして、オーディオビジュアル機器１と車速センサ１９と選択スイッチ２１とがコンテンツデータ再生装置を構成している。なお、表示手段（伝達手段）はディスプレイ１３に対応し、再生手段はマイコン３、オーディオ５、ビデオ７、ＤＰＳ９、アンプ１１、スピーカ１５及びディスプレイ１３に対応し、これらのマイコン３、オーディオ５、ビデオ７、ＤＰＳ９、アンプ１１、スピーカ１５及びディスプレイ１３が再生ユニット３１を構成している。
【００２８】
上記携帯機器２５は、図２に示すように、インターネット２７を通して提供されるｗｅｂ型コンテンツデータをＰＣ（パーソナルコンピュータ）２９からダウンロードすることにより、コンテンツデータを記憶（記録、保存）するとともに、乗員が屋外にいるときや歩行中に該ダウンロードされたコンテンツデータを再生できるようにしたものである。
【００２９】
上記コンテンツデータとしては、画像データと音声データとからなるもの（例えば、ニュース、トークショー、スポーツ中継などのコンテンツデータ）、画像データからなるもの（例えば、文章、新聞などのコンテンツデータ）、音声データからなるもの（例えば、音楽、ラジオ番組などのコンテンツデータ）であり、画像データには、動画データからなるものや静止画データ（文字データを含む）からなるもの等がある。なお、本実施形態では、コンテンツデータはニュースのコンテンツデータである。
【００３０】
上記マイコン３は、コンテンツデータが記憶された携帯機器２５とオーディオビジュアル機器１とがケーブル２３を介して接続されると、該コンテンツデータを受信して読み取るようになっている。なお、本実施形態では、マイコン３は、ケーブル２３を用いた有線通信により、携帯機器２５から送信されたコンテンツデータを受信するように構成されているが、これに限らず、例えば、近距離無線通信機器を用いた無線通信によりコンテンツデータを受信することも可能である。
【００３１】
上記ディスプレイ１３は、インストルメントパネルに設けられており、マイコン３と携帯機器２５とがケーブル２３により接続された状態で、マイコン３からの指示情報に従い、図４に示すように、マイコン３内のデータ選択部３ａにより選択されたコンテンツデータを識別するためのコンテンツ名（発信元、日付、ニュース名）を表示するようになっている。
【００３２】
上記データ選択部（データ選択手段）３ａは、携帯機器２５から受信したコンテンツデータのうち新しいコンテンツデータを優先的に選択し、該選択されたコンテンツデータのコンテンツ名をディスプレイ１３に表示するように構成されている。より詳しくは、データ選択部３ａは、携帯機器２５から受信したコンテンツデータのうち上記再生ユニット３１により過去に再生されたコンテンツデータを除外し、残りのコンテンツデータのうち新しいコンテンツデータを優先的に選択し、該選択されたコンテンツデータのコンテンツ名をディスプレイ１３において上から下へ新しい順に表示して乗員に伝達するようになっている。
【００３３】
上記データ選択部３ａによる選択処理の具体的な一例を示すと、データ選択部３ａは、例えば、図３（ａ）に示すように、マイコン３が該携帯機器２５に記憶された８つのニュース（コンテンツデータ）を受信すると、これら８つのニュースを日付の新しい順に並べ替えた後、メモリ１７に記憶されたデータの再生履歴に基づき、図３（ｂ）に示すように、再生ユニット３１により過去に再生されたＮｏ．１、２、４、７及び８のニュースを除外する。そして、例えば、ディスプレイ１３に一度に表示できるコンテンツ名が２つに限られている場合には、残りの未再生のニュース（Ｎｏ．３、５及び６）のうち日付が２９日の（日付が１番目、２番目に新しい）ニュース（Ｎｏ．３及びＮｏ．６）を選択し、図４に示すように、該選択されたニュースのコンテンツ名（放送局、日付、ニュース名）をディスプレイ１３に上から日付順に表示するようになっている（図４ではＮｏ．３のニュースとＮｏ．６のニュースとは同順）。
【００３４】
コンテンツ名がディスプレイ１３に表示された後、上記選択スイッチ２１を乗員が操作し、例えば、ＸＸＸ放送の１２月２９日のモーニングニュースが選択されると、該ニュースに対応するコンテンツデータが、マイコン３内のデータ判別部（データ判別手段）３ｂに入力される。このデータ判別部３ｂは、入力されたコンテンツデータが動画データ（画像データ）を含んでいるか否かを判別するように構成されている。
【００３５】
また、マイコン３は、車両の走行速度を検出する車速センサ１９と接続されており、車速センサ１９により検出された車両の走行速度に基づいて車両が走行状態であるか（走行しているか）停止状態であるか（停止しているか）を判定するようになっている。なお、本発明で言うところの走行状態判定手段は、マイコン３及び車速センサ１９に対応する。
【００３６】
そして、マイコン３は、データ判別部３ｂによりコンテンツデータが動画データを含んでいると判別された場合には、車両の停止状態が確認されたときにのみ、該動画データを再生するように（再生可能に）構成されている。より具体的には、マイコン３は、データ判別部３ｂによりＸＸＸ放送の１２月２９日のモーニングニュースに動画データが含まれていると判別されると、車両が現在停止状態であることが確認されたときにのみビデオ７に再生指示情報を出力するように構成されており、再生指示情報を受けたビデオ７は、該ニュースに含まれる動画をディスプレイ１３に表示するようになっている。このとき、マイコン３は、オーディオ５にも再生指示情報を出力するように構成されており、再生指示情報を受けたオーディオ５は、ＤＳＰ（ディジタル信号プロセッサ）９によりコンテンツデータをデータ処理させ、該処理された信号をアンプ１１で増幅させた後、スピーカ１５を通して該ニュースに含まれる音声データを再生するようになっている。
【００３７】
一方、マイコン３は、データ判別部３ｂによりコンテンツデータが動画データを含んでいると判別された場合であって、車両の走行状態が確認されたときには、該コンテンツデータのうち音声データのみを再生するように（再生可能に）構成されている。このように、動画データを再生せず音声データのみを再生するのは、乗員の脇見運転を抑制するためであり、車両が走行しているときには、ニュースに動画が含まれていても、ビデオ７には再生指示が入力されず、オーディオ５にのみ再生指示が入力されるようになっている。なお、本実施形態では、動画データは特に脇見運転を誘発する可能性が高いことから、データ判別部３ｂを選択されたコンテンツデータが画像データを含んでいるか否かを判別するように構成しているが、これに限らず、例えば、選択されたコンテンツデータが静止画データ（文字データを含む）を含んでいるか否かも判別するようにしてもよい。
【００３８】
−コンテンツデータ再生装置の処理動作−
ここで、コンテンツデータ再生装置１，１９，２１の処理動作について、図５のフローチャートに基づいて説明する。
【００３９】
先ず、最初のステップＳ１では、携帯機器２５がマイコン３に接続されているか否かを判定し、このステップＳ１の判定がＮＯであるときは、リターンしてステップＳ１の動作を繰り返し行う。一方、ステップＳ１の判定がＹＥＳであるときは、ステップＳ２に進む。
【００４０】
次のステップＳ２では、携帯機器２５から読み取ったコンテンツデータをマイコン３内において、新しいコンテンツデータから順に並び替え、しかる後にステップＳ３に進む。
【００４１】
次のステップＳ３では、新しい順に並び替えられたコンテンツデータの中に再生ユニット３１により過去に再生されたコンテンツデータがあるか否かを判定し、このステップＳ３の判定がＮＯであるときは、ステップ４に進み、コンテンツデータのコンテンツ名をディスプレイ１３において上から下へ新しい順に表示し、しかる後にステップ６に進む。一方、ステップＳ３の判定がＹＥＳであるとき、すなわち、過去に再生済みのコンテンツデータがあるときには、ステップＳ５に進む。
【００４２】
次のステップＳ５では、ステップ２で並び替えられたコンテンツデータから過去に再生されたコンテンツデータを除外し、残りのコンテンツデータのコンテンツ名をディスプレイ１３において上から下へ新しい順に表示し、しかる後にステップＳ６に進む。
【００４３】
そして、次のステップＳ６では、乗員のスイッチ操作によるコンテンツデータの再生指示があったか否かを判定し、このステップＳ６の判定がＮＯであるときには、該ステップ６おける動作を繰り返す一方、ステップＳ６の判定がＹＥＳであるときには、ステップＳ７に進む。
【００４４】
次のステップＳ７では、再生指示されたコンテンツデータが動画データを含んでいるか否かを判定する。このステップＳ７の判定がＮＯであるときには、ステップＳ８に進んで、コンテンツデータ、すなわち、音声データを再生し、しかる後にリターンする。一方、ステップＳ７の判定がＹＥＳであるときには、ステップＳ９に進む。
【００４５】
次のステップＳ９では、車両が停止状態か否かを判定し、このステップＳ９の判定がＹＥＳであるときには、ステップＳ１０に進んで、音声データと動画データを再生し、しかる後にリターンする。一方、ステップＳ９の判定がＮＯであるとき、すなわち、走行状態であるときには、ステップＳ８に進んで、音声データのみを再生し、しかる後にリターンする。
【００４６】
−効果−
本実施形態によれば、車両の乗員が携帯する携帯機器２５に記憶されたコンテンツデータを車両に設けられている再生ユニット３１で再生する際に、該コンテンツデータのうち日付の新しいコンテンツデータを優先的に選択し、選択されたコンテンツデータのコンテンツ名をディスプレイ１３に表示することから、乗員により選択される可能性の高い新しいコンテンツデータのコンテンツ名を乗員に対して表示することができる。また、コンテンツ名をディスプレイ１３に表示することにより、乗員がコンテンツ名を確認し易くなる。よって、乗員がコンテンツデータを選択して再生させる際の利便性を向上させることができる。
【００４７】
さらに、携帯機器２５から受信したコンテンツデータのうち再生ユニット３１により過去に再生されたコンテンツデータを除外するので、乗員が誤って同じコンテンツデータを複数回選択するのを抑制することができる。したがって、乗員がコンテンツデータを選択して再生させる際の利便性を一層向上させることができる。
【００４８】
また、データ判別部３ｂによりコンテンツデータが動画データを含んでいると判別された場合には、車両が停止状態であると判定されたときにのみ、動画データを再生するので、乗員の脇見運転を抑制することができる。したがって、乗員が車内でコンテンツデータを再生させる際の安全性を向上させることができる。
【００４９】
さらに、少なくとも音声データが含まれているコンテンツデータがデータ判別部３ｂにより動画データを含んでいると判別された場合であって、車両が走行状態であると判定されたときには、該コンテンツデータのうち音声データのみを再生するので、乗員の脇見運転を抑制することができる。したがって、乗員が車両走行中にコンテンツデータを再生させる際の安全性を向上させることができる。
【００５０】
（実施形態２）
本実施形態は、データ選択部３ａによるコンテンツデータの選択手順が実施形態１と異なるものである。以下、実施形態１と異なる点について説明する。
【００５１】
データ選択部３ａは、同種のコンテンツデータを複数受信したときには、該同種のコンテンツデータのうち最新のコンテンツデータを選択するように構成されている。本実施形態において、「同種のコンテンツデータ」とは、例えば、ＸＸＸ放送のニュースというように配信元（ＸＸＸ放送）及びジャンル（ニュース）が互いに同じコンテンツデータを意味する。
【００５２】
例えば、図６（ａ）に示すように、マイコン３が該携帯機器２５に記憶されたＸＸＸ放送の４つのニュース（コンテンツデータ）と、ＹＹＹ放送の４つのニュースとを受信すると、データ選択部３ａは、図６（ｂ）に示すように、ＸＸＸ放送の４つのニュースうち最新のものであるＮｏ．４のニュースと、ＹＹＹ放送の４つのニュースうち最新のものであるＮｏ．８のニュースとを選択し、該選択されたＮｏ．４とＮｏ．８のニュースのコンテンツ名をディスプレイ１３において上から下へ新しい順に表示するようになっている。
【００５３】
−効果−
本実施形態によれば、携帯機器２５から同種のコンテンツデータを複数受信したときには、該同種のコンテンツデータのうち最新のコンテンツデータを選択してディスプレイ１３に表示するので、同種のコンテンツデータのうち選択される可能性が最も高い最新のコンテンツデータのコンテンツ名を乗員に対して表示するとともに、ディスプレイ１３に一度に表示できるコンテンツ名の数が限られていても、種類の異なるコンテンツデータのコンテンツ名をディスプレイ１３に一度に表示することができる。したがって、乗員がコンテンツデータを選択して再生させる際の利便性をより一層向上させることができる。
【００５４】
（その他の実施形態）
上記各実施形態では、ディスプレイ１３に一度に表示できるコンテンツ名が２つに限られている場合について説明したが、これに限らず、例えば、ディスプレイ１３が大きい場合には、携帯機器２５から受信した全てのコンテンツデータのコンテンツ名をディスプレイ１３に表示してもよい。このように全てのコンテンツ名をディスプレイ１３に表示する場合にも、データ選択部３ａは、新しいコンテンツデータを優先的に選択し、該選択されたコンテンツデータのコンテンツ名をディスプレイ１３において上から下へ新しい順に表示するので、乗員がコンテンツデータを選択する際の利便性を向上させることができる。
【００５５】
また、上記実施形態２では、配信元及びジャンルが互いに同じニュースのうち最新のニュース（Ｎｏ．４及びＮｏ．８）を選択するように構成されているが、これに限らず、例えば、ニュースというジャンルのうち最新のニュース（Ｎｏ．８）を選択するようにしてもよい。
【００５６】
さらに、上記各実施形態では、ディスプレイ１３に表示することによりコンテンツ名を乗員に伝達しているが、これに限らず、例えば、スピーカ１５からの音声によりコンテンツ名を乗員に伝達してもよい。
【００５７】
また、上記各実施形態では、携帯機器２５はＰＣ２９を介してコンテンツデータをダウンロードし記憶しているが、これに限らず、例えば、携帯電話のように、コンテンツデータを直接ダウンロードできるような携帯機器２５を用いてもよい。
【００５８】
さらに、上記各実施形態では、携帯機器２５はＰＣ２９を介してインターネット２７からコンテンツデータを取得しているが、これに限らず、例えば、パッケージソフトからＰＣ２９に記憶されたコンテンツデータを取得してもよい。
【００５９】
また、上記各実施形態では、データ選択部３ａは、新しい日付のニュース（コンテンツデータ）を優先的に選択し、該選択されたコンテンツデータのコンテンツ名をディスプレイ１３に表示するように構成されているが、例えば、音楽データのように日付を含まないコンテンツデータについては、携帯機器２５にダウンロードされた日付の新しいものを優先的に選択するようにしてもよい。
【００６０】
本発明は、実施形態に限定されず、その精神又は主要な特徴から逸脱することなく他の色々な形で実施することができる。
【００６１】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６２】
以上説明したように、本発明は、携帯機器に記憶されたコンテンツデータを車内で再生するためのコンテンツデータ再生装置等について有用である。
【図面の簡単な説明】
【００６３】
【図１】本発明に係るコンテンツデータ再生システムの概略構成を示すブロック図である。
【図２】携帯機器へのコンテンツデータの記憶方法を説明する概念図である。
【図３】マイクロコンピュータによるコンテンツデータの選択手順を説明する図であり、同図（ａ）は選択が行われる前の状態を示す図であり、同図（ｂ）は選択後の状態を示す図である。
【図４】ディスプレイに表示される画像を示す図である。
【図５】オーディオビジュアル機器の制御処理を示すフローチャートである。
【図６】マイクロコンピュータによるコンテンツデータの選択手順を説明する図であり、同図（ａ）は選択が行われる前の状態を示す図であり、同図（ｂ）は選択後の状態を示す図である。
【符号の説明】
【００６４】
１      オーディオビジュアル機器（コンテンツデータ再生装置）
３      マイクロコンピュータ（走行状態判定手段）
３ａ    データ選択部（データ選択手段）
３ｂ    データ判別部（データ判別手段）
１３    ディスプレイ（表示手段）（伝達手段）
１９    車速センサ（走行状態判定手段）
２５    携帯機器
３１    再生ユニット（再生手段）
【図１】
2009234358.tif 000003
【図２】
2009234358.tif 000004
【図３】
2009234358.tif 000005
【図４】
2009234358.tif 000006
【図５】
2009234358.tif 000007
【図６】
2009234358.tif 000008